(57)【要約】  制御基板（１１０）は、基板部（１０９）と、電源回路（１１１）と、通信回路（１１２）と、第１の配線接続部（１１３ａ）と、第２の配線接続部（１１３ｂ）と、第３の配線接続部（１１３ｃ）と、を有する第１の端子台（１１３）と、第４の配線接続部（１１４ａ）と、第５の配線接続部（１１４ｂ）と、を有する第２の端子台（１１４）と、第１のパターン（１１９）と、第２のパターン（１２０）と、第３のパターン（１２１）と、第４のパターン（１２２）と、第５のパターン（１２３）と、第６のパターン（１２４）と、第３のパターン（１２１）に設けられて、第２の配線接続部（１１３ｂ）と通信回路（１１２）との接続と非接続とを切り替え可能な第１の切り替え部（１１７）と、第５のパターン（１２３）に設けられて、第４の配線接続部（１１４ａ）と通信回路（１１２）との接続と非接続とを切り替え可能な第２の切り替え部（１１８）と、を備える。
2019202677.tif 000002
【特許請求の範囲】
【請求項１】
空気調和機の室内機に備えられる制御基板であって、
前記制御基板は、
基板部と、
前記基板部に搭載されて前記室内機で用いられる電源を発生させる電源回路と、
前記基板部に搭載されて前記室内機と接続する室外機と前記室内機とを通信させる通信回路と、
前記基板部に搭載されて、第１の配線接続部と、第２の配線接続部と、第３の配線接続部と、を有する第１の端子台と、
前記基板部に搭載されて、第４の配線接続部と、第５の配線接続部と、を有する第２の端子台と、
前記基板部に形成されて、前記第１の配線接続部と前記電源回路とを接続させる第１のパターンと、
前記基板部に形成されて、前記第２の配線接続部と前記電源回路とを接続させる第２のパターンと、
前記基板部に形成されて、前記第２の配線接続部と前記通信回路とを接続させる第３のパターンと、
前記基板部に形成されて、前記第３の配線接続部と前記通信回路とを接続させる第４のパターンと、
前記基板部に形成されて、前記第４の配線接続部と前記通信回路とを接続させる第５のパターンと、
前記基板部に形成されて、前記第５の配線接続部と前記通信回路とを接続させる第６のパターンと、
前記第３のパターンに設けられて、前記第２の配線接続部と前記通信回路との接続と非接続とを切り替え可能な第１の切り替え部と、
前記第５のパターンに設けられて、前記第４の配線接続部と前記通信回路との接続と非接続とを切り替え可能な第２の切り替え部と、を備える制御基板。
【請求項２】
前記第１の切り替え部および前記第２の切り替え部のいずれか一方に取り付けられて、前記第２の配線接続部と前記通信回路とを接続させる状態と、前記第４の配線接続部と前記通信回路とを接続させる状態とを切り替える切り替え補助部をさらに備える請求項１に記載の制御基板。
【請求項３】
請求項１または２に記載の制御基板を備える空気調和機の室内機。
【発明の詳細な説明】
【技術分野】
【０００１】
本発明は、室内機の電気品箱に備えられる制御基板および該制御基板を備える空気調和機の室内機に関する。
【背景技術】
【０００２】
空気調和機の室内機には、様々な形態のものがある。例えば、特許文献１に記載の４方向カセット形室内機は、室内機の筐体内に設置された電動機を駆動させて電動機の軸に接続された送風機を回転させることで、筐体内に設置されたベルマウスを通じて室内空気を吸い込み、熱交換器で熱交換された空気を室内へ吐き出すように構成されている。この種の室内機では、室内機の運転を制御するための制御基板を収納した電気品箱が室内機に配置されている場合が多い。電気品箱には、制御基板の他にも、室内機および室外機を電気的に接続するための端子と、室内機に電源を供給するための電源線を接続する端子とを接続する中継用端子台が設置されている。【０００３】
室内機および室外機への電力の供給方式には、室内機および室外機のそれぞれに電源から延びる電源線を接続して電力を供給する別受電方式と、室外機のみに電源線を接続し、室外機と室内機とを連結する渡り線を通して室内機に電力を供給する外受電方式とがある。別受電方式と外受電方式とでは、異なる中継用端子台が用いられることが一般的である。また、空気調和機を設置する際に、中継用端子台を交換して別受電方式または外受電方式のいずれかの電力の供給方式に変更する場合がある。
【先行技術文献】
【特許文献】
【０００４】
【特許文献１】特開２０１１−１０６８０１号公報
【発明の概要】
【発明が解決しようとする課題】
【０００５】
特許文献１に記載の室内機は、電源の受電先を室外機または外部電源に切り替える際、別受電方式専用または外受電方式専用の中継用端子台と交換する必要があり受電方式の切り替えに伴う工数が増加してしまうという問題があった。【０００６】
本発明は、上記に鑑みてなされたものであって、受電方式の切り替えに伴う工数の増加を抑制することを目的とする。
【課題を解決するための手段】
【０００７】
上述した課題を解決し、目的を達成するために、本発明に係る制御基板は、空気調和機の室内機に備えられる制御基板であって、制御基板は、基板部と、基板部に搭載されて室内機で用いられる電源を発生させる電源回路と、基板部に搭載されて室内機と接続する室外機と室内機とを通信させる通信回路と、基板部に搭載されて、第１の配線接続部と、第２の配線接続部と、第３の配線接続部と、を有する第１の端子台と、基板部に搭載されて、第４の配線接続部と、第５の配線接続部と、を有する第２の端子台と、基板部に形成されて、第１の配線接続部と電源回路とを接続させる第１のパターンと、基板部に形成されて、第２の配線接続部と電源回路とを接続させる第２のパターンと、基板部に形成されて、第２の配線接続部と通信回路とを接続させる第３のパターンと、基板部に形成されて、第３の配線接続部と通信回路とを接続させる第４のパターンと、基板部に形成されて、第４の配線接続部と通信回路とを接続させる第５のパターンと、基板部に形成されて、第５の配線接続部と通信回路とを接続させる第６のパターンと、第３のパターンに設けられて、第２の配線接続部と通信回路との接続と非接続とを切り替え可能な第１の切り替え部と、第５のパターンに設けられて、第４の配線接続部と通信回路との接続と非接続とを切り替え可能な第２の切り替え部と、を備える。
【発明の効果】
【０００８】
本発明に係る制御基板は、受電方式の切り替えに伴う工数の増加を抑制することができるという効果を奏する。
【図面の簡単な説明】
【０００９】
【図１】実施の形態にかかる外受電方式の場合の空気調和機を示す図
【図２】実施の形態にかかる別受電方式の場合の空気調和機を示す図
【図３】実施の形態にかかる外受電方式の場合の室内機の電気品箱の内部構成を概念的に示す図
【図４】実施の形態にかかる別受電方式の場合の室内機の電気品箱の内部構成を概念的に示す図
【図５】実施の形態にかかる外受電方式の場合の室内機の電気品箱の内部構成を詳細に示す図
【図６】実施の形態にかかる別受電方式の場合の室内機の電気品箱の内部構成を詳細に示す図
【発明を実施するための形態】
【００１０】
以下に、本発明の実施の形態に係る制御基板および空気調和機の室内機を図面に基づいて詳細に説明する。なお、この実施の形態によりこの発明が限定されるものではない。
【００１１】
実施の形態．
空気調和機の受電方式である外受電方式および別受電方式について説明する。図１は、実施の形態にかかる外受電方式の場合の空気調和機を示す図である。外受電方式の空気調和機１００は、室内に設置される室内機１０１と、室外に設置される室外機１０２とで構成される。室外機１０２は、電源線１０７を介して外部電源１から電力を受電する。室内機１０１はリモコン通信配線１０４を介してリモートコントローラ（以降、リモコンと呼ぶ）であるリモコン１０５と接続する。また、室内機１０１は内外接続線１０３を介して室外機１０２と接続する。内外接続線１０３は、渡り線であり、室外機１０２から室内機１０１へ電源を供給する電源用の接続線、および室外機１０２と室内機１０１とが互いに空調制御に関する情報を送受信する通信用の接続線として使用される。室内機１０１とリモコン１０５との間ではリモコン通信配線１０４を介し、空気調和機１００の運転制御に関する情報の伝送が行われる。室内機１０１には電気品箱１０６が内蔵される。
【００１２】
図２は、実施の形態にかかる別受電方式の場合の空気調和機を示す図である。室内機１０１は通信用接続線２０３を介して室外機１０２と接続する。通信用接続線２０３は、室外機１０２と室内機１０１とが互いに空調制御に関する情報を送受信する接続線として使用される。室内機１０１は、室外機１０２を介した電源の供給は受けずに、電源用接続線２０８を介し外部電源２から受電する。
【００１３】
図３は、実施の形態にかかる外受電方式の場合の室内機１０１の電気品箱１０６の内部構成を概念的に示す図である。電気品箱１０６は、室内機１０１を制御するための制御基板１１０を備える。制御基板１１０は、基板部１０９と、電源回路１１１と、通信回路１１２と、第１の端子台１１３と、第２の端子台１１４とを備える。基板部１０９は、板状の部材である。電源回路１１１と、通信回路１１２と、第１の端子台１１３と、第２の端子台１１４とは、基板部１０９に搭載される。電源回路１１１は、室内機１０１に備えられるマイクロコンピュータ、および室内機１０１に備えられるアクチュエータの駆動回路を動作させる電源を発生させる回路である。通信回路１１２は、室内機１０１と室外機１０２との間で空調に必要な通信を行うために用いられる回路である。第１の端子台１１３は、内外接続線１０３を介して室外機１０２と接続する。内外接続線１０３は、電源用接続線１０３ａと、共用接続線１０３ｂと、通信用接続線１０３ｃとで構成されており、それぞれ第１の端子台１１３と接続する。電源用接続線１０３ａは、電源回路１１１に電力を供給するための接続線である。通信用接続線１０３ｃは、室外機１０２から通信回路１１２に情報を送信し、通信回路１１２から室外機１０２へ情報を送信するために用いられる接続線である。共用接続線１０３ｂは、電源用と通信用とで共用の接続線である。第１の端子台１１３は、電源用接続線１１５ａおよび電源用接続線１１５ｂを介して電源回路１１１と接続する。また、第１の端子台１１３は、通信用接続線１１６ａおよび通信用接続線１１６ｂを介して通信回路１１２と接続する。
【００１４】
図４は、実施の形態にかかる別受電方式の場合の室内機１０１の電気品箱１０６の内部構成を概念的に示す図である。第１の端子台１１３は、電源用接続線２０８を介し外部電源２と接続する。電源用接続線２０８は、電源用接続線２０８ａと、電源用接続線２０８ｂとで構成され、それぞれ第１の端子台１１３と接続する。第２の端子台１１４は、通信用接続線２０３を介して室外機１０２と接続する。通信用接続線２０３は、通信用接続線２０３ａと、通信用接続線２０３ｂとで構成され、それぞれ第２の端子台１１４と接続する。第１の端子台１１３は、電源用接続線１１５ａおよび電源用接続線１１５ｂを介して電源回路１１１と接続する。また、第２の端子台１１４は、通信用接続線２１６ａおよび通信用接続線２１６ｂを介して通信回路１１２と接続する。このように、基板部１０９に２つの端子台を設け、外受電方式と別受電方式とで２つの端子台と各回路との接続先を切り替えることで、端子台の交換が不要になる。次に、２つの端子台と各回路との接続先を切り替えるための構成を具体的に説明する。
【００１５】
図５は、実施の形態にかかる外受電方式の場合の室内機１０１の電気品箱１０６の内部構成を詳細に示す図である。基板部１０９は、第１の切り替え部１１７および第２の切り替え部１１８を備える。第１の切り替え部１１７および第２の切り替え部１１８は、回路を切り替える際に誤配線を防止する装置である。本実施の形態では、第１の切り替え部１１７および第２の切り替え部１１８を、ジャンパー線である切り替え補助部１３０を用いて接続するコネクタとして記載するが、本発明はジャンパー線およびコネクタに限定されず、例えば、メカリレーであってもよいし、フォトカプラなどの半導体スイッチであってもよい。切り替え補助部１３０は、第１の切り替え部１１７および第２の切り替え部１１８のいずれか一方に取り付けられて、第２の配線接続部１１３ｂと通信回路１１２とを接続させる状態と、第４の配線接続部１１４ａと通信回路１１２とを接続させる状態とを切り替える。ここで、切り替え補助部１３０は１つしかないため、どちらか片方の切り替え部がパターンと接続すると、もう片方の切り替え部がパターンと接続しない。切り替え部に切り替え補助部１３０が挿入されている状態をオンと呼び、切り替え部に切り替え補助部１３０が挿入されていない状態をオフと呼ぶ。
【００１６】
第１の端子台１１３は、第１の配線接続部１１３ａと、第２の配線接続部１１３ｂと、第３の配線接続部１１３ｃとを備える。第２の端子台１１４は、第４の配線接続部１１４ａと、第５の配線接続部１１４ｂとを備える。第１の配線接続部１１３ａは電源用接続線１０３ａと接続し、第２の配線接続部１１３ｂは、共用接続線１０３ｂと接続し、第３の配線接続部１１３ｃは、通信用接続線１０３ｃと接続する。第１の配線接続部１１３ａは第１のパターン１１９を介して電源回路１１１と接続する。第２の配線接続部１１３ｂは第２のパターン１２０を介して電源回路１１１と接続する。また、第２の配線接続部１１３ｂは、第３のパターン１２１を介して通信回路１１２と接続する。第１の切り替え部１１７は第３のパターン１２１に設けられて、切り替え補助部１３０を用いて第２の配線接続部１１３ｂと通信回路１１２との接続と非接続とを切り替える。なお、図５は、第１の切り替え部１１７であるコネクタに切り替え補助部１３０であるジャンパー線が挿入されている状態である。第３の配線接続部１１３ｃは、第４のパターン１２２を介して通信回路１１２と接続する。第４の配線接続部１１４ａは、第５のパターン１２３を介して通信回路１１２と接続する。第２の切り替え部１１８は第５のパターン１２３に設けられて、切り替え補助部１３０を用いて第４の配線接続部１１４ａと通信回路１１２との接続と非接続とを切り替える。なお、図５では第２の切り替え部１１８であるコネクタに切り替え補助部１３０であるジャンパー線は挿入されていない。第５の配線接続部１１４ｂは第６のパターン１２４を介して通信回路１１２と接続する。
【００１７】
第１の配線接続部１１３ａおよび第２の配線接続部１１３ｂは、電源用接続線１０３ａおよび共用接続線１０３ｂとそれぞれ接続するため、高電圧の電流が流れる。一方、第３の配線接続部１１３ｃは、通信用接続線１０３ｃと接続するため、第１の配線接続部１１３ａと比べて低い電圧の電流が流れる。第４の配線接続部１１４ａおよび第５の配線接続部１１４ｂは、通信用接続線と接続する配線接続部だが、外受電方式の場合、第４の配線接続部１１４ａおよび第５の配線接続部１１４ｂに接続される接続線はない。
【００１８】
図６は、実施の形態にかかる別受電方式の場合の室内機１０１の電気品箱１０６の内部構成を詳細に示す図である。第１の配線接続部１１３ａおよび第２の配線接続部１１３ｂは、電源用接続線２０８ａおよび電源用接続線２０８ｂとそれぞれ接続する。第４の配線接続部１１４ａおよび第５の配線接続部１１４ｂは、通信用接続線２０３ａおよび通信用接続線２０３ｂとそれぞれ接続する。第１の配線接続部１１３ａおよび第２の配線接続部１１３ｂには、高電圧の電流が流れる。第４の配線接続部１１４ａおよび第５の配線接続部１１４ｂには、第１の配線接続部１１３ａおよび第２の配線接続部１１３ｂと比べて低い電圧の電流が流れる。別受電方式の場合、第２の切り替え部１１８がオン、第１の切り替え部１１７がオフとなる。この状態となることで、第２の配線接続部１１３ｂから流れる高電圧の電流が、通信回路１１２に流れることを防止する。また、第４の配線接続部１１４ａが通信回路１１２と接続することができるようになる。
【００１９】
第１の切り替え部１１７および第２の切り替え部１１８を備えることで、外受電方式から別受電方式に変更するときに、つまり図５の制御回路の状態のときに電源用接続線１０３ａを誤って第４の配線接続部１１４ａに接続した場合、第２の切り替え部１１８がオフになっているため、電源用接続線１０３ａから流れる高電圧な電流が通信回路１１２に流れることを防止することができる。また、外受電方式から別受電方式に切り替えるときに、接続線の交換後に第１の切り替え部１１７をオフに、第２の切り替え部１１８をオンにすることで、接続線の交換時に誤って第４の配線接続部１１４ａに電源用接続線２０８ｂを接続してしまった場合でも、交換時の第２の切り替え部１１８はオフであるため、第４の配線接続部１１４ａから流れる高電圧の電流によって通信回路１１２が故障することを抑制することができる。
【００２０】
以上説明したように、室内機１０１に備えられる制御基板１１０は、基板部１０９と、第１の端子台１１３と第２の端子台１１４とを制御基板１１０に備えることで、受電方式を切り替えるときに、専用の中継用端子台を交換する必要がないため、受電方式の切り替えに伴う工数の増加を抑制することができる。また、第１の切り替え部１１７および第２の切り替え部１１８を制御基板１１０が備えることにより、受電方式を切り替えるときに、接続線の接続先を誤った場合でも、通信回路１１２が故障してしまうことを抑制することができる。
【００２１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２２】
１，２  外部電源、１００  空気調和機、１０１  室内機、１０２  室外機、１０３  内外接続線、１０３ａ，１１５ａ，１１５ｂ，２０８，２０８ａ，２０８ｂ  電源用接続線、１０３ｃ，１１６ａ，１１６ｂ，２０３，２０３ａ，２０３ｂ，２１６ａ，２１６ｂ  通信用接続線、１０３ｂ  共用接続線、１０４  リモコン通信配線、１０５  リモコン、１０６  電気品箱、１０７  電源線、１０９  基板部、１１０  制御基板、１１１  電源回路、１１２  通信回路、１１３  第１の端子台、１１３ａ  第１の配線接続部、１１３ｂ  第２の配線接続部、１１３ｃ  第３の配線接続部、１１４  第２の端子台、１１４ａ  第４の配線接続部、１１４ｂ  第５の配線接続部、１１７  第１の切り替え部、１１８  第２の切り替え部、１１９  第１のパターン、１２０  第２のパターン、１２１  第３のパターン、１２２  第４のパターン、１２３  第５のパターン、１２４  第６のパターン、１３０  切り替え補助部。
【図１】
2019202677.tif 000003
【図２】
2019202677.tif 000004
【図３】
2019202677.tif 000005
【図４】
2019202677.tif 000006
【図５】
2019202677.tif 000007
【図６】
2019202677.tif 000008
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
空気調和機の室内機に備えられる制御基板であって、
前記制御基板は、
基板部と、
前記基板部に搭載されて前記室内機で用いられる電源を発生させる電源回路と、
前記基板部に搭載されて前記室内機と接続する室外機と前記室内機とを通信させる通信回路と、
前記基板部に搭載されて、第１の配線接続部と、第２の配線接続部と、第３の配線接続部と、を有す第１の端子台と、
前記基板部に搭載されて、第４の配線接続部と、第５の配線接続部と、を有する第２の端子台と、
前記基板部に形成されて、前記第１の配線接続部と前記電源回路とを接続させる第１のパターンと、
前記基板部に形成されて、前記第２の配線接続部と前記電源回路とを接続させる第２のパターンと、
前記基板部に形成されて、前記第２の配線接続部と前記通信回路とを接続させる第３のパターンと、
前記基板部に形成されて、前記第３の配線接続部と前記通信回路とを接続させる第４のパターンと、
前記基板部に形成されて、前記第４の配線接続部と前記通信回路とを接続させる第５のパターンと、
前記基板部に形成されて、前記第５の配線接続部と前記通信回路とを接続させる第６のパターンと、
前記第３のパターンに設けられて、前記第２の配線接続部と前記通信回路との接続と非接続とを切り替え可能な第１の切り替え部と、
前記第５のパターンに設けられて、前記第４の配線接続部と前記通信回路との接続と非接続とを切り替え可能な第２の切り替え部と、を備え、
前記第１の端子台に、前記室外機から前記電源回路へ電力の供給、および前記室外機と前記通信回路との情報の送受信に用いる内外接続線が接続されるときには、前記第１の切り替え部は、前記第２の配線接続部と前記通信回路とを接続し、
前記第１の端子台に、外部電源から前記電源回路への電力の供給に用いる電源用接続線が接続され、前記第２の端子台に、前記室外機と前記通信回路との情報の送受信に用いる通信用接続線が接続されるときには、前記第２の切り替え部は、前記第４の配線接続部と前記通信回路とを接続する制御基板。
【請求項２】
空気調和機の室内機に備えられる制御基板であって、
前記制御基板は、
基板部と、
前記基板部に搭載されて前記室内機で用いられる電源を発生させる電源回路と、
前記基板部に搭載されて前記室内機と接続する室外機と前記室内機とを通信させる通信回路と、
前記基板部に搭載されて、第１の配線接続部と、第２の配線接続部と、第３の配線接続部と、を有す第１の端子台と、
前記基板部に搭載されて、第４の配線接続部と、第５の配線接続部と、を有する第２の端子台と、
前記基板部に形成されて、前記第１の配線接続部と前記電源回路とを接続させる第１のパターンと、
前記基板部に形成されて、前記第２の配線接続部と前記電源回路とを接続させる第２のパターンと、
前記基板部に形成されて、前記第２の配線接続部と前記通信回路とを接続させる第３のパターンと、
前記基板部に形成されて、前記第３の配線接続部と前記通信回路とを接続させる第４のパターンと、
前記基板部に形成されて、前記第４の配線接続部と前記通信回路とを接続させる第５のパターンと、
前記基板部に形成されて、前記第５の配線接続部と前記通信回路とを接続させる第６のパターンと、
前記第３のパターンに設けられて、前記第２の配線接続部と前記通信回路との接続と非接続とを切り替え可能な第１の切り替え部と、
前記第５のパターンに設けられて、前記第４の配線接続部と前記通信回路との接続と非接続とを切り替え可能な第２の切り替え部と、
前記第１の切り替え部および前記第２の切り替え部のいずれか一方に取り付けられて、前記第２の配線接続部と前記通信回路とを接続させる状態と、前記第４の配線接続部と前記通信回路とを接続させる状態とを切り替える切り替え補助部と、
を備える制御基板。
【請求項３】
請求項１または２に記載の制御基板を備える空気調和機の室内機。
【手続補正２】
【補正対象書類名】明細書
【補正対象項目名】０００７
【補正方法】変更
【補正の内容】
【０００７】
上述した課題を解決し、目的を達成するために、本発明に係る制御基板は、空気調和機の室内機に備えられる制御基板であって、制御基板は、基板部と、基板部に搭載されて室内機で用いられる電源を発生させる電源回路と、基板部に搭載されて室内機と接続する室外機と室内機とを通信させる通信回路と、基板部に搭載されて、第１の配線接続部と、第２の配線接続部と、第３の配線接続部と、を有する第１の端子台と、基板部に搭載されて、第４の配線接続部と、第５の配線接続部と、を有する第２の端子台と、基板部に形成されて、第１の配線接続部と電源回路とを接続させる第１のパターンと、基板部に形成されて、第２の配線接続部と電源回路とを接続させる第２のパターンと、基板部に形成されて、第２の配線接続部と通信回路とを接続させる第３のパターンと、基板部に形成されて、第３の配線接続部と通信回路とを接続させる第４のパターンと、基板部に形成されて、第４の配線接続部と通信回路とを接続させる第５のパターンと、基板部に形成されて、第５の配線接続部と通信回路とを接続させる第６のパターンと、第３のパターンに設けられて、第２の配線接続部と通信回路との接続と非接続とを切り替え可能な第１の切り替え部と、第５のパターンに設けられて、第４の配線接続部と通信回路との接続と非接続とを切り替え可能な第２の切り替え部と、を備え、第１の端子台に、室外機から電源回路へ電力の供給、および室外機と通信回路との情報の送受信に用いる内外接続線が接続されるときには、第１の切り替え部は、第２の配線接続部と通信回路とを接続し、第１の端子台に、外部電源から電源回路への電力の供給に用いる電源用接続線が接続され、第２の端子台に、室外機と通信回路との情報の送受信に用いる通信用接続線が接続されるときには、第２の切り替え部は、第４の配線接続部と通信回路とを接続する。
【国際調査報告】
2019202677.tif 000009
2019202677.tif 000010
2019202677.tif 000011
2019202677.tif 000012